(57)【要約】    【課題】  簡便な方法・構造によって、排水枡における水密性を十分に高めることのできる、実用性の高い排水枡の止水構造を提供すること。    【解決手段】  排水枡の止水構造は、上方に開口部２９、底部に排水流出用の排水管２７、側方に開口していない側壁２８を有してなる排水枡２０における止水構造であって、排水管２７に設けられた環状の溝と、溝に嵌合して水密性を保持するための環状のパッキン用ボルト３とからなり、パッキン用ボルト３は手で把持して回すことで着脱可能である。【選択図】  図１Ａ
0003195204.tif 000002
【実用新案登録請求の範囲】
【請求項１】
上方に開口部、底部に排水流出用の排水管、側方に開口していない側壁を有してなる排水枡における止水構造であって、該排水管に設けられた環状の溝と、該溝に嵌合して水密性を保持するための環状のパッキン用ボルトとからなり、該パッキン用ボルトは手で把持して回すことで着脱可能であることを特徴とする、排水枡の止水構造。
【請求項２】
前記パッキン用ボルトの下方に水密性を補強するための環状の弾性パッキン部材が設けられていることを特徴とする、請求項１に記載の排水枡の止水構造。
【請求項３】
前記弾性パッキン部材はゴム製のＯリングであることを特徴とする、請求項２に記載の排水枡の止水構造。
【請求項４】
前記排水管の外壁には水密用のテープが巻かれていることを特徴とする、請求項１ないし３のいずれかに記載の排水枡の止水構造。
【請求項５】
請求項１ないし４のいずれかに記載の止水構造を備えた、排水枡。
【請求項６】
本体を形成する側壁が下部において絞り形状に形成されていることを特徴とする、請求項５に記載の排水枡。
【考案の詳細な説明】
【技術分野】
【０００１】
本考案は排水枡およびその止水構造に係り、特に、従来よりも排水管箇所の水密性を高めることのできる、排水枡およびその止水構造に関するものである。
【背景技術】
【０００２】
排水設備を構成する排水枡やその周辺構造に関しては従来、種々の技術的提案がなされている。たとえば後継特許文献１には、枝管接続口への排水枝管の差込み寸法より小さいスペースしかない狭小な場所でも排水枝管を容易に接続でき、水密性も保持される合成樹脂製排水桝として、枝管接続口の先端に外側へ突出する係止鍔を形成、継筒の先端と後端に内側へ突出する係合鍔と厚肉の枝管抱持鍔を形成、枝管接続口の外周に嵌合したリング状パッキンを係止鍔と係合鍔の間に配置し、また枝管抱持鍔の内周に形成した凹溝にもリング状パッキンを嵌着する構成が開示されている。
【０００３】
また特許文献２には、円筒状をなす排水桝の側壁下部に設けられた流出口を排水桝の内側から安定した状態で閉塞可能な排水桝用中蓋として、流出口に挿入される栓体の外周に流出口の内周面と水密的に当接するシールパッキンを装着、栓体の一端側の平坦な底壁部には排水桝の内側に突出する把手、さらに底壁部の外周縁から突出して流出口周縁の排水桝内壁と当接する鉛直方向の第１ストッパー片と、水平方向の第２ストッパー片とを設けた構成が開示されている。
【先行技術文献】
【特許文献】
【０００４】
【特許文献１】特開平７−３００８９６号公報「合成樹脂製排水桝」
【特許文献２】特開２０００−２７２７３号公報「排水桝用中蓋」
【考案の概要】
【考案が解決しようとする課題】
【０００５】
さて排水設備においては、十分な水密性が確保、維持されていることがきわめて重要である。したがって、一定の水密性が確保されている上にさらに入念的に対策を行うことは大いに有意義なことである。しかもそれを、より簡便な方法・構造にて実現できることが、実用性・産業上利用性の観点から求められる。しかしながら、上記各先行技術を含め、そのような技術的提案は未だなされていない。
【０００６】
また、底部にねじ込み式で着脱可能な排水管を有する排水枡の場合、螺合部分には通常、防水性テープが巻かれており、これによって一応の水密が図られている。そして、汚物等を除去し清潔に保持するために定期的に取り外して掃除する際には、摩耗したり破損したりしたテープに替えて新しいテープを巻くことによって水密性を保持することができる。しかしながら実際には、作業の煩雑さにより、かかる作業は行われない場合が少なくなく、その結果、排水枡の水密性が悪くなり、それによって水封機能も損なわれてしまうことが多い。かかる問題の有効な解決も求められている。
【０００７】
そこで本考案が解決しようとする課題は、これら従来技術の問題点を除き、簡便な方法・構造によって、排水枡における水密性を十分かつ確実に高め、維持することのできる、実用性の高い排水枡およびその止水構造を提供することである。
【０００８】
また本考案が解決しようとする課題は、底部にねじ込み式で着脱可能な排水管を有する排水枡において、防水性テープによる止水機能だけではなく、簡便な方法・構造によるさらなる止水機能を付加し、これによって排水枡における水密性を十分かつ確実に高め、維持することのできる、実用性の高い排水枡およびその止水構造を提供することである。
【課題を解決するための手段】
【０００９】
本願考案者は上記課題について検討した結果、手回しによって取り付け可能なパッキン用ボルトと、弾性パッキン部材とを組み合わせ用いることによって解決できることに想到し、それを基礎として本考案を完成するに至った。すなわち、上記課題を解決するための手段として本願で実用新案登録請求される考案、もしくは少なくとも開示される考案は、以下の通りである。
【００１０】
〔１〕  上方に開口部、底部に排水流出用の排水管、側方に開口していない側壁を有してなる排水枡における止水構造であって、該排水管に設けられた環状の溝と、該溝に嵌合して水密性を保持するための環状のパッキン用ボルトとからなり、該パッキン用ボルトは手で把持して回すことで着脱可能であることを特徴とする、排水枡の止水構造。
〔２〕  前記パッキン用ボルトの下方に水密性を補強するための環状の弾性パッキン部材が設けられていることを特徴とする、〔１〕に記載の排水枡の止水構造。
〔３〕  前記弾性パッキン部材はゴム製のＯリングであることを特徴とする、〔２〕に記載の排水枡の止水構造。
【００１１】
〔４〕  前記排水管の外壁には水密用のテープが巻かれていることを特徴とする、〔１〕ないし〔３〕のいずれかに記載の排水枡の止水構造。
〔５〕  〔１〕ないし〔４〕のいずれかに記載の止水構造を備えた、排水枡。
〔６〕  本体を形成する側壁が下部において絞り形状に形成されていることを特徴とする、〔５〕に記載の排水枡。
【考案の効果】
【００１２】
本考案の排水枡およびその止水構造は上述のように構成されるため、これによれば、簡便な方法・構造によって、排水枡における水密性を十分かつ確実に高め、維持することができ、実用性が高い。また本考案の排水枡およびその止水構造によれば、底部にねじ込み式で着脱可能な排水管を有する排水枡において、防水性テープによる止水機能だけではなく、簡便な方法・構造によるさらなる止水機能を付加し、これによって排水枡における水密性を十分かつ確実に高め、維持することができる。
【００１３】
つまり、従来のように排水管の螺合部分に巻かれた防水テープによって一応の止水構造が形成されている上に、本考案のパッキン用ボルトにより、あるいはまたこれに加えて弾性パッキン部材を併用することにより、二重、三重の止水構造が形成され、水密性を相当高めることができる。また、防水テープによる止水機能が不十分になった場合でも、本考案のパッキン用ボルト、あるいはこれと弾性パッキン部材の併用により、止水機能を代替することができる。
【００１４】
なおまた、本体の側壁が下部において絞り形状に形成されている形態の本考案排水枡は、側壁と底部が直角に形成されている従来の形態と比較して、排水の流通がより円滑となり、角部における汚れの付着等も軽減できることが見込まれる。これは、排水枡における止水機能の高度化、水密性の高度化を目的とする本考案においても、望ましい作用効果である。
【図面の簡単な説明】
【００１５】
【図１Ａ】本考案排水枡の基本的な構成例を示す断面図である。
【図１Ｂ】図１Ａに示す排水枡に係る止水構造を示す断面図である。
【図１Ｃ】図１Ｂに示す止水構造の要部拡大図である。
【図２】本考案止水構造の要部構成例を示す分解図である。
【図３】図２に示した各要素を組み合わせた状態の斜視図である。
【図４】図３に示した形態の側面図である。
【図５Ａ】本体を形成する側壁が下部において絞り形状に形成されている形態の本考案排水枡を示す側面図である。
【図５Ｂ】本体を形成する側壁が下部において絞り形状に形成されている形態の本考案排水枡を示す斜視図である。
【考案を実施するための形態】
【００１６】
以下、図面により本考案を詳細に説明する。
図１Ａは、本考案排水枡の基本的な構成例を示す断面図である。また、
図１Ｂは、図１Ａに示す排水枡に係る止水構造を示す断面図、
図１Ｃは、図１Ｂに示す止水構造の要部拡大図である。なお図１Ｃは、本考案要部構成の説明のため、一部を強調して示している。これらに示すように本考案の排水枡の止水構造１０は、上方に開口部２９、底部に排水流出用の排水管２７、側方に開口していない側壁２８を有してなる排水枡２０における止水構造であって、排水管２７に設けられた環状の溝２と、溝２に嵌合して水密性を保持するための環状のパッキン用ボルト３とからなり、パッキン用ボルト３は手で把持して回すことで着脱可能であることを、主たる構成とする。
【００１７】
かかる構成により本考案の止水構造１０によれば、パッキン用ボルト３を手で把持して排水管２７端面に当接させ、排水管２７の溝２とパッキン用ボルト３の内側面に設けられた溝４とを嵌合させて回し、ねじ込むことにより、パッキン用ボルト３が排水管２７に取り付けられる。パッキン用ボルト３は排水管２７に取り付けられた状態で、排水管２７と排水枡２０本体の排水口部２６との間を塞ぐ機能、つまり止水機能を果たし得るよう構成することができるため、パッキン用ボルト３の取り付けによって止水構造を形成し得る。
【００１８】
またパッキン用ボルト３はねじ式によって着脱自在であるため、保守作業や交換が必要な場合には容易にこれを手で回して取り外すことができ、便利である。なお、パッキン用ボルト３の材質は、これが止水構造形成に十分な限り、あるいは有益な限り、いかなるものでも用いることができる。たとえば適宜の合成樹脂、合成ゴム等である。また、パッキン用ボルト３の高さ（厚さ）その他の仕様は、適宜設計するものとすることができる。
【００１９】
各図に示すように本止水構造１０は、パッキン用ボルト３の下方に水密性を補強するための環状の弾性パッキン部材５が設けられた構成とすることができ、また、このように二重の止水機能を備えた止水構造とすることが、本考案の効果を高めるために大いに望ましい。なお弾性パッキン部材５としては、止水効果のあるものであればいかなるものであってもよいが、簡便にはゴム製のＯリングを好適に用いることができる。
【００２０】
図２は、本考案止水構造の要部構成例を示す分解図である。また、
図３は、図２に示した各要素を組み合わせた状態の斜視図、図４は、図３に示した形態の側面図である。図３および４に示した組み合わされた形態が排水桝２０に構成されて用いられる。これら各図および前出図１Ｃに強調して示すように本止水構造１０は、排水管２７の外壁に水密用のテープ６が巻かれている構成をも、その範囲内に含める。つまり本例では、パッキン用ボルト３、弾性パッキン部材５および排水管２７によって、排水枡２０本体の排水口部２６との間を塞ぐ止水作用がなされ、より高度な止水機能が実現される。
【００２１】
上述したように、従来は水密用のテープが排水管に巻かれていることのみをもって止水機能を実現していたところ、それを補強するため、ないしはそれに代替するために本考案は完成された。従来使用されてきた水密テープ６もそのまま用い、さらに本考案止水構造１０を用いることで止水機能を二重、三重に備え補強することは、それだけ水密性を高めることになり、大いに好ましい。なお水密用のテープ６としては、従来公知の仕様のものを適宜選択して用いることができる。
【００２２】
以上説明したいずれかの本考案止水構造を備えた排水枡自体もまた、本考案の範囲内である。なお図５Ａ、および５Ｂは、本体を形成する側壁が下部において絞り形状に形成されている形態の本考案排水枡を示す側面図、および斜視図である。本排水枡２２０は、側壁と底部が直角に形成されている従来の形態と比較して排水の流通がより円滑となり、角部における汚れの付着等も軽減できることが見込まれる。これは、排水枡における止水機能の高度化、水密性の高度化を目的とする本考案においても、望ましい作用効果である。
【産業上の利用可能性】
【００２３】
本考案の水封管セットおよび水封用構造によれば、水封管の洗浄作業など保守管理が便利で、排水ドレーンの施工において排水枡を別途用いる必要がなく、施工が簡易で作業性に優れ、コストも低減することができる。したがって、水設備および関連する全産業分野において利用性が非常に高い考案である。
【符号の説明】
【００２４】
２…溝（排水管）
３、２３…パッキン用ボルト
４…溝（パッキン用ボルト）
５、２５０…弾性パッキン部材
６…水密テープ
１０…排水枡の止水構造
２０、２２０…排水枡
２５…水封構造
２６、２２６…排水枡本体の排水口部
２７、２２７…排水管
２８、２２８…側壁
２９…開口部
Ｗ…水
【図１Ａ】
0003195204.tif 000003
【図１Ｂ】
0003195204.tif 000004
【図１Ｃ】
0003195204.tif 000005
【図２】
0003195204.tif 000006
【図３】
0003195204.tif 000007
【図４】
0003195204.tif 000008
【図５Ａ】
0003195204.tif 000009
【図５Ｂ】
0003195204.tif 000010